(57)【特許請求の範囲】
【請求項１】
自動二輪車の車体後部の左右両側に設けられた左右のトランクに一対の撮像手段がそれぞれ左右後方を撮像するように設けられ、
映像を映し出すモニターが運転者の前方のインストルメントパネルに左右に一対配設され、
前記左側の撮像手段が撮影した映像を前記左側のモニターが映し出し、
前記右側の撮像手段が撮影した映像を前記右側のモニターが映し出すことを特徴とする車両の後方視認装置。
【請求項２】
前記インストルメントパネルには、中央に多目的ディスプレイが配設され、前記多目的ディスプレイの左右にそれぞれ前記左右のモニターが配設されるとともに、前記多目的ディスプレイの上方にスピードメータが配設されることを特徴とする請求項１記載の車両の後方視認装置。
【請求項３】
自動二輪車の車体後部の左右両側に設けられた左右のトランクに一対の撮像手段がそれぞれ左右後方を撮像するように設けられ、
映像を映し出すモニターが運転者の前方のインストルメントパネルに配設され、
前記左右の撮像手段がそれぞれ撮像した各映像を前記モニターの左右部分にそれぞれ映し出すことを特徴とする車両の後方視認装置。
【請求項４】
前記撮像手段により撮像した画像を左右反転画像に変換して前記モニターに映し出すことを特徴とする請求項１から請求項３までのいずれかの項記載の車両の後方視認装置。
【請求項５】
自動二輪車のハンドルのグリップ部の付け根あたりに前記撮像手段の焦点距離調整手段を備え、
運転者が前記焦点距離調整手段を操作することで前記モニターに映し出される後方の映像の視野を変更することを特徴とする請求項１から請求項４までのいずれかの項記載の車両の後方視認装置。
【発明の詳細な説明】
【０００１】
【発明の属する技術分野】
本発明は、車両における後方視認装置に関する。
【０００２】
【従来の技術】
従来より自動四輪車では後方視認のため車両後部にカメラを配置して後方を撮影した映像を運転席前方のインストルメントパネル等に設けられたＣＲＴ等のモニターに映し出す方法が考えられてきた。
【０００３】
例えば実公平５−２１５０９号公報に記載されたものは、運転席前方の凹部に配置された表示器のうち中央下部にＣＲＴ等のモニターの２次元的画面表示面が１つ設けられていて後方視野画面を表示することが開示されている。
【０００４】
【発明が解決しようとする課題】
しかしモニターは後方視野だけを専用に映し出すものではなく、運転者が必要に応じて切替えて表示させるもので、かつ左右後方の視野をそれぞれ別に表示するものでもない。
【０００５】
したがって運転中に即時に後方を確認しようとするときは、表示を切替えるのも煩わしいので、バックミラーを見ることになり視点移動が大きい。
【０００６】
また常時モニターに後方視野画面を表示していたとしても、後方視野を１画面に表示しており、実際の進行方向に対する左右と画面上の左右が逆の場合があって左右の感覚が混乱することがある。
【０００７】
さらに左右側方に突出するバックミラーは、走行時の空気抵抗が大きく、特に自動二輪車等のバーハンドル型車両においては、空気抵抗の影響は大きい。
【０００８】
本発明は斯かる点に鑑みなされたもので、その目的とする処は、バックミラーに代わって後方視認のための視点移動が小さく左右確認が容易で空気抵抗を低減できる後方視認装置を供する点にある。
【０００９】
【課題を解決するための手段及び作用効果】
上記目的を達成するために、請求項１記載の発明は、自動二輪車の車体後部の左右両側に設けられた左右のトランクに一対の撮像手段がそれぞれ左右後方を撮像するように設けられ、映像を映し出すモニターが運転者の前方のインストルメントパネルに左右に一対配設され、前記左側の撮像手段が撮影した映像を前記左側のモニターが映し出し、前記右側の撮像手段が撮影した映像を前記右側のモニターが映し出す車両の後方視認装置である。
【００１０】
左側の撮像手段が撮影した左後方の映像を左側のモニターが映し出し、右側の撮像手段が撮影した右後方の映像を右側のモニターが映し出すので、バックミラーと同じ又はそれ以上の後方視認性を有し、左右の確認が容易で、後方を視認するのに視点移動が小さく、バックミラーを無くして走行時の空気抵抗を小さくできる。
【００１１】
請求項３記載の発明は、自動二輪車の車体後部の左右両側に設けられた左右のトランクに一対の撮像手段がそれぞれ左右後方を撮像するように設けられ、映像を映し出すモニターが運転者の前方のインストルメントパネルに配設され、前記左右の撮像手段がそれぞれ撮像した各映像を前記モニターの左右部分にそれぞれ映し出す車両の後方視認装置とした。
【００１２】
インストルメントパネルのモニターは、その左右部分に車両の後部左右の撮像手段が撮像した左右後方の映像をそれぞれ映し出すので、バックミラーと同じ又はそれ以上の後方視認性を有し、左右の確認が容易で、後方を視認するのに視点移動が小さく、バックミラーを無くして走行時の空気抵抗を小さくできる。
【００１３】
請求項４記載の発明は、請求項１から請求項３までのいずれかの項記載の車両の後方視認装置において、前記撮像手段により撮像した画像を左右反転画像に変換して前記モニターに映し出すことを特徴とする。
【００１４】
撮像手段により撮像した画像を左右反転画像に変換してモニターに映し出す
ので、運転者はバックミラーで見たと同様の映像を見ることができ、左右感覚がより明瞭となる。
【００１５】
請求項５記載の発明は、請求項１から請求項４までのいずれかの項記載の車両の後方視認装置において、自動二輪車のハンドルのグリップ部の付け根あたりに前記撮像手段の焦点距離調整手段を備え、運転者が前記焦点距離調整手段を操作することで前記モニターに映し出される後方の映像の視野を変更することを特徴とする。
【００１６】
モニターに映し出される後方の映像の視野を所要の大きさに任意に設定することができ、視認性を向上させることができる。
【００１７】
【発明の実施の形態】
以下本発明に係る一実施の形態について図１ないし図３に基づき説明する。
本実施の形態に係る車両は、バーハンドル型車両である自動二輪車１であり、その全体側面図を図１に図示する。
【００１８】
該自動二輪車１は、ツーリングタイプの大型二輪車で、車体２の前方はフェアリング３で覆われ、車体２の後部のリヤサイド両側にはトランク４，４を備えている。
【００１９】
ハンドル５の前方でフェアリング３の内側にインストルメントパネル６が、図２に示すように設けられている。
インストルメントパネル６は横長の概ね楕円形状をなし、左右対称に複数の液晶ディスプレイが配設されている。
【００２０】
中央に大きくナビゲーションの地図表示やその他時計，トリップ，オーディオ等の表示に多目的に使われる矩形の多目的ディスプレイ11、その左右に後方の映像を映し出す矩形のバックモニターディスプレイ12，13が配設され、多目的ディスプレイ11の上方にスピードメータ14ａとタコメータ14ｂを表示する横長長円状のメータディスプレイ14、その左右に水温計ディスプレイ15と燃料計ディスプレイ16が配設されている。
【００２１】
長円状のメータディスプレイ14内の左寄り下方にやはり長円状の枠が表示されて、その枠内にスピードメータ14ａがデジタル表示され、枠の外方に放射状に配列されたバーの表示状態により値を読み取るタコメータ14ｂが表示される。
水温計ディスプレイ15と燃料計ディスプレイ16も放射状に配列されたバーの表示によるものである。
【００２２】
なおインストルメントパネル６の左端部には左ウインカランプ31，ＡＢＳランプ32，ＦＩ（フューエルインジェクション）ランプ33が配置され、右端部には右ウインカランプ35，ハイビームランプ36，ニュートラルランプ37が配置されている。
【００２３】
一方車体後部に設けられた左右のトランク４，４にそれぞれＣＣＤカメラ21，22が取り付けられている。
図３に示すようにＣＣＤカメラ21，22は、トランク４，４の後面の左右対称な位置に後方を撮像するように設けられている。
【００２４】
左側のＣＣＤカメラ21は車体２の左側後方を撮像し、その撮像した画像を左右反転した画像が前記左側バックモニターディスプレイ12に映し出される。
同様に右側のＣＣＤカメラ22は車体２の右側後方を撮像し、その撮像した画像を左右反転した画像データが前記右側バックモニターディスプレイ13に映し出される。
【００２５】
バックモニターディスプレイ12，13は、後方の映像だけを映し出す専用のモニターディスプレイであり、運転時には常時映像を映しておくように使用し、従来のように後方視認時にのみ映像を切替えたり表示を開始させるようなことはしない。
【００２６】
したがって本自動二輪車１に搭乗した運転者は、何らの操作をすることなくインストルメントパネル６の左右に配置されたバックモニターディスプレイ12，13を見ることにより簡単かつ即時に後方の様子が映像で視認することができる。
【００２７】
左側のバックモニターディスプレイ12には左後方の様子がバックミラーの反射像のように左右が逆に映像化されて映し出され、右側のバックモニターディスプレイ13には右後方の様子が左右が逆に映像化されて映し出されるので、左右の感覚に混乱をきたすことはなくバックミラーで見ると同じように後方を視認することができる。
【００２８】
左右のバックモニターディスプレイ12，13はインストルメントパネル６内に配置されて左右への偏移は小さく、したがってバックモニターディスプレイ12，13を見るための視点移動は小さくてすむ。
【００２９】
本自動二輪車１には上記のような後方視認装置を有することから車体から左右側方に突出するようなバックミラーが存在しない。
したがってバックミラーを無くしたことから図１及び図２に矢印で示すように走行時に空気はフェアリング３の側方を乱されることなく滑らかに流れ、空気抵抗を小さくすることができる。
【００３０】
本後方視認装置において、ＣＣＤカメラ21，22のそれぞれの焦点距離調整機構が、左右のハンドル５，５のグリップ部の付け根あたりにそれぞれ設けられたズームスイッチ７，７の操作で駆動されるようになっている。
【００３１】
したがって左側のズームスイッチ７を操作することで、左側のＣＣＤカメラ21の焦点距離を連続的に変更し、左側のバックモニターディスプレイ12が映し出す映像の視野を拡大又は縮小できる。
【００３２】
同様に右側のズームスイッチ７を操作することで、右側のＣＣＤカメラ22の焦点距離を連続的に変更し、右側のバックモニターディスプレイ13が映し出す映像の視野を拡大又は縮小できる。
【００３３】
したがって運転者が適切と思える視野の後方の映像を見ることができる。
また特別に後方のものを確認したいようなときも簡単にズームアップして見ることができる。
このように視認性を向上させることができる。
【００３４】
なおズームスイッチは左右いずれか１個とし、１つのズームスイッチの操作で両方のＣＣＤカメラ21，22を同じ焦点距離で同時に調整するようにしてもよい。
【００３５】
以上の実施の形態では左右に別個に設けた２つのバックモニターディスプレイ12，13が左右後方の映像をそれぞれ映し出していたが、インストルメントパネルにモニターディスプレイを１つ配設し、画面を左右に分割して左側のＣＣＤカメラで撮像した画像は左右反転して左側画面に、右側のＣＣＤカメラで撮像した映像は左右反転して右側画面に映し出すようにしてもよい。
【００３６】
またＣＣＤカメラで撮像した画像を左右反転し、その反転画像をモニターに映し出していたが、必ずしも反転画像でなくＣＣＤカメラで撮像した画像をそのままモニターに映し出してもよく、斯かる場合でも左右後方の映像がそれぞれ左右のモニター又は左右の画面に映し出されるので、車体に対する左右感覚は混乱することはない。
【図面の簡単な説明】
【図１】本発明の一実施の形態に係る自動二輪車の全体側面図である。
【図２】インストルメントパネル及びその近傍を示す図である。
【図３】同自動二輪車の後部の斜視図である。
【符号の説明】
１…自動二輪車、２…車体、３…フェアリング、４…トランク、５…ハンドル、６…インストルメントパネル、７…ズームスイッチ、
11…多目的ディスプレイ、12，13…バックモニターディスプレイ、14…メータディスプレイ、15…水温計ディスプレイ、16…燃料計ディスプレイ、
21，22…ＣＣＤカメラ、
31…左ウインカランプ、32…ＡＢＳランプ、33…ＦＩランプ、35…右ウインカランプ、36…ハイビームランプ、37…ニュートラルランプ。
【図１】
0004233182.tif 000002
【図２】
0004233182.tif 000003
【図３】
0004233182.tif 000004